(57)【特許請求の範囲】
【請求項１】
ホルダロック部を有するコネクタハウジングと、前記コネクタハウジングにスライド自在に組み付けされ、嵌合位置では前記ホルダロック部によって係止されるリアホルダとをコネクタが備え、前記コネクタより外部に引き出された電線を保護するプロテクタであって、
プロテクタ本体と前記プロテクタ本体に組み付けされるカバーとを有し、組み付けされた前記プロテクタ本体と前記カバーによって電線配策部とコネクタ嵌合部が構成され、コネクタ嵌合部には、前記コネクタの前記ホルダロック部に係止するコネクタ係止部が設けられたことを特徴とするプロテクタ。
【請求項２】
請求項１記載のプロテクタであって、
前記コネクタ嵌合部には、前記リアホルダが半嵌合位置の前記コネクタを組み付けると、組み付け過程で前記リアホルダを押圧して前記リアホルダを嵌合位置にガイドするリブが設けられていることを特徴とするプロテクタ。
【請求項３】
請求項１又は請求項２記載のプロテクタであって、
前記コネクタ係止部は、前記プロテクタ本体と前記カバーにそれぞれ設けられていることを特徴とするプロテクタ。
【発明の詳細な説明】
【技術分野】
【０００１】
本発明は、コネクタより外部に引き出された電線を保護するプロテクタに関する。
【背景技術】
【０００２】
コネクタより外部に引き出された電線（具体的には、コネクタ首下箇所）を保護する電線保護部材が従来より提案されている。このような電線保護部材の一従来例が図６及び図７に示されている（特許文献１参照）。図６及び図７において、電線保護部材であるコネクタ保護カバー５０は、断面Ｌ字状のカバー本体部５１と、このカバー本体部５１の先端に固定された棒状部５５とを備えている。カバー本体部５１には、ロック穴５２とこのロック穴５２の両側に突出された一対の突起壁５３が設けられている。
【０００３】
コネクタ６０は、複数の端子（図示せず）を収容するコネクタハウジング６１を有する。コネクタハウジング６１の後面からは、各端子に接続された電線Ｗ（図７に示す）が引き出される。コネクタハウジング６１の外面には、他部品との連結用の取付部６２が設けられている。取付部６２は、ロック用ガイド枠６３と弾性変形可能なロック爪６４から構成されている。
【０００４】
次に、コネクタ保護カバー５０の組み付け作業を説明する。コネクタ保護カバー５０のカバー本体部５１をコネクタハウジング６１のロック用ガイド枠６３内に挿入する。すると、カバー本体部５１は、その両端部及び突起壁５３がガイドされつつロック用ガイド枠６３に挿入され、ロック穴５２にロック爪６４が係止される。これで、コネクタ保護カバー５０がコネクタ６０に装着される。次に、コネクタ６０より引き出された電線Ｗ及び幹線Ｗ１を棒状部５５と共に拘束テープ７０に巻き付ければ完了する。
【０００５】
コネクタ６０より外部に引き出された電線Ｗは、コネクタ保護カバー５０のカバー本体部５１によって保護される。又、コネクタ保護カバー５０の棒状部５５によって、電線Ｗの経路規制がなされる。
【先行技術文献】
【特許文献】
【０００６】
【特許文献１】特開２００９−１９３８４０号公報
【発明の概要】
【発明が解決しようとする課題】
【０００７】
しかしながら、前記従来例では、カバー本体部５１によってコネクタ６０より外部に引き出された電線Ｗの一面しか保護できないため、電線Ｗの保護が不十分である。
【０００８】
また、コネクタ保護カバー５０の棒状部５５を電線Ｗと共にテープ巻きして電線Ｗの経路規制を行っているため、棒状部５５の変形や、棒状部５５と電線Ｗ間の位置ずれによって容易に所望の経路よりずれ、所定の経路に確実に規制できない恐れがある。
【０００９】
そこで、本発明は、前記した課題を解決すべくなされたものであり、コネクタより外部に引き出された電線の保護と、電線の経路規制の向上を共に図ることができるプロテクタを提供することを目的とする。
【課題を解決するための手段】
【００１０】
本発明は、ホルダロック部を有するコネクタハウジングと、前記コネクタハウジングにスライド自在に組み付けされ、嵌合位置では前記ホルダロック部によって係止されるリアホルダとをコネクタが備え、前記コネクタより外部に引き出された電線を保護するプロテクタであって、プロテクタ本体と前記プロテクタ本体に組み付けされるカバーとを有し、組み付けされた前記プロテクタ本体と前記カバーによって電線配策部とコネクタ嵌合部が構成され、コネクタ嵌合部には、前記コネクタの前記ホルダロック部に係止するコネクタ係止部が設けられたことを特徴とするプロテクタである。
【００１１】
前記コネクタ嵌合部には、前記リアホルダが半嵌合位置の前記コネクタを組み付けると、組み付け過程で前記リアホルダを押圧して前記リアホルダを嵌合位置にガイドするリブが設けられることが好ましい。
【００１２】
前記コネクタ係止部は、前記プロテクタ本体と前記カバーの内面にそれぞれ設けられることが好ましい。
【発明の効果】
【００１３】
本発明によれば、コネクタがプロテクタに固定され、且つ、コネクタより外部に引き出された電線がプロテクタの電線配策部内に配策されるため、電線が外周を被うプロテクタによって保護されると共に経路規制がされる。従って、コネクタより外部に引き出された電線の保護と、電線の経路規制の向上を共に図ることができる。又、プロテクタは、コネクタのホルダロック部を利用してコネクタに固定できるため、コネクタには他部品との連結用の取付部を別途設ける必要がない。
【図面の簡単な説明】
【００１４】
【図１】本発明の一実施形態を示し、プロテクタの組み付け前の斜視図である。
【図２】本発明の一実施形態を示し、（ａ）はリアホルダが嵌合位置であるメスコネクタの斜視図、（ｂ）はリアホルダが半嵌合位置であるメスコネクタの斜視図である。
【図３】本発明の一実施形態を示し、プロテクタの組み付け途中の斜視図である。
【図４】本発明の一実施形態を示し、プロテクタの組み付け完了時の正面図である。
【図５】本発明の一実施形態を示し、プロテクタの組み付け完了時の断面図である。
【図６】従来例を示し、コネクタ保護カバーとコネクタの斜視図である。
【図７】従来例を示し、コネクタ保護カバーの組み付け完了時の斜視図である。
【発明を実施するための形態】
【００１５】
以下、本発明の一実施形態を図面に基づいて説明する。
【００１６】
図１〜図５は本発明の一実施形態を示す。図１に示すように、プロテクタ１は、プロテクタ本体２と、これに組み付けされるカバー２０とを備え、コネクタであるメスコネクタ３０の外部に引き出された電線Ｗを保護し、経路規制する。
【００１７】
プロテクタ本体２は、電線配策本体３Ａと、これに一体に設けられたコネクタ嵌合本体４Ａとを備えている。電線配策本体３Ａは、一面が開口された筒状で、且つ、所定の経路に沿って延びている。電線配策本体３Ａ内には、この開口より電線Ｗが挿入される。電線配策本体３Ａは、その長手方向の両端が開口され、電線出口５とされている。電線配策本体３Ａの両端箇所には、一対のバンド用リブ６がそれぞれ突設されている。電線配策本体３Ａの外面には、２つのカバー用ロック爪７が間隔を置いて設けられている。
【００１８】
コネクタ嵌合本体４Ａは、嵌合用切欠部８ａを有する後面壁８とこの後面壁８より前方に向かって突出する一対の側面壁９とを有し、その前面側が開口されている。コネクタ嵌合本体４Ａ内には、この開口よりメスコネクタ３０が挿入される。各側面壁９の外面には、カバー用ロック枠１０がそれぞれ設けられている。
【００１９】
カバー２０は、電線配策本体３Ａとコネクタ嵌合本体４Ａの開口をそれぞれ閉塞するほぼ平板状の部材である。カバー２０は、電線配策用蓋部３Ｂとコネクタ嵌合用蓋部４Ｂとを備えている。電線配策用蓋部３Ｂは、電線配策本体３Ａの開口の内の中央箇所を閉塞する。コネクタ嵌合用蓋部４Ｂは、コネクタ嵌合本体４Ａの開口をほほ閉塞する。
【００２０】
プロテクタ本体２とカバー２０が組み付けされると、電線配策本体３Ａと電線配策用蓋部３Ｂによって電線配策部３が構成され、且つ、コネクタ嵌合本体４Ａとコネクタ嵌合用蓋部４Ｂによってコネクタ嵌合部４が構成される。
【００２１】
カバー２０の上端面には、左右一対のロック枠２１が突設されている。一対のロック枠２１は、プロテクタ本体２のカバー用ロック爪７に係止される。カバー２０の上端面には、一対のロック枠２１の両外位置及びその中間位置の３箇所に位置規制突起２２が突設されている。３つの位置規制突起２２は、プロテクタ本体２の電線配策本体３Ａの上面に配置される。カバー２０の両側の側端面には、先端にロック爪２３ａを有するロックアーム２３が突設されている。一対のロックアーム２３は、プロテクタ本体２のカバー用ロック枠１０に係止される。
【００２２】
また、プロテクタ本体２のコネクタ嵌合本体４Ａとカバー２０のコネクタ嵌合用蓋部４Ｂの互いに対向する内面には、左右一対のコネクタ係止部である係止突部１１がそれぞれ設けられている。４箇所の係止突部１１は、メスコネクタ３０のホルダロック部であるホルダロック穴３３に係止される。
【００２３】
プロテクタ本体２のコネクタ嵌合本体４Ａとカバー２０のコネクタ嵌合用蓋部４Ｂの互いに対向する内面で、且つ、電線配策本体３Ａ及び電線配策用蓋部３Ｂとの境界位置には、直線上に延びるリブ１２がそれぞれ設けられている。この各リブ１２は、リアホルダ３２が嵌合位置であるメスコネクタ３０をコネクタ嵌合本体４Ａ内に挿入する場合にその挿入を許容するが、リアホルダ３２が半嵌合位置であるメスコネクタ３０をコネクタ嵌合本体４Ａ内に挿入する場合、その挿入過程でリアホルダ３２を押圧してリアホルダ３２を嵌合位置にガイドする。
【００２４】
図２に示すように、メスコネクタ３０は、コネクタハウジング３１と、このコネクタハウジング３１内に収容された複数のメス端子（図示せず）と、コネクタハウジング３１にスライド自在に組み付けされたリアホルダ３２とを備えている。コネクタハウジング３１は、各メス端子を弾性変形によって規制する端子係止部（図示せず）を有する。各メス端子は、コネクタハウジング３１の端子係止部によって引き抜き方向の移動が阻止されている。各メス端子に接続された複数の電線Ｗは、コネクタハウジング３１の引き抜き方向である後面から外部に引き出されている。コネクタハウジング３１の上下両面には、ホルダロック部であるホルダ係止穴３３がそれぞれ二箇所に設けられている。リアホルダ３２は、その上下両面の二箇所にロック爪３４を有する。リアホルダ３２は、端子係止部の弾性変形を許容する半嵌合位置（嵌合開始位置）と、端子係止部の弾性変形を阻止する図２(ａ）の嵌合位置の間でスライド自在に組み付けされている。嵌合位置では、各ロック爪３４が各ホルダ係止穴３３に係止される。これにより、リアホルダ３２は、嵌合位置にロックされる。ロック爪３４がホルダ係止穴３３に係止された状態では、図２（ｃ）に示すように、ロック爪３４の上面がホルダ係止穴３３の中間深さにまでしか入り込まない。これにより、ホルダ係止穴３３には、ロック爪３４が係止されている状態でも凹部が形成される。
【００２５】
次に、プロテクタ１とメスコネクタ３０の組み付け作業を説明する。図１に示すように、プロテクタ本体２のコネクタ嵌合本体４Ａ内にメスコネクタ３０を挿入する。メスコネクタ３０の挿入は、メスコネクタ３０のホルダ係止穴３３にコネクタ嵌合本体４Ａの係止突部１１に挿入しつつ行う。ここで、リアホルダ３２が嵌合位置であるメスコネクタ３０では、リブ１２がメスコネクタ３０に干渉せずにその挿入を許容し、リブ１２がコネクタハウジング３１とリアホルダ３２の後端面に突き当たる状態で挿入される。リアホルダ３２が半嵌合位置に位置するメスコネクタ３０では、リブ１２がその組み付け過程でリアホルダ３２に干渉し、リブ１２の押圧力によってリアホルダ３２が嵌合位置に強制的に移動される。そして、リブ１２がコネクタハウジング３１とリアホルダ３２の後端面に突き当たる状態となり、メスコネクタ３０がコネクタ嵌合本体４Ａ内に挿入される。
【００２６】
又、このようなメスコネクタ３０の挿入後に、若しくは、メスコネクタ３０の挿入と共に、メスコネクタ３０より外部に引き出された電線Ｗをプロテクタ本体２の電線配策本体３Ａ内に配策する。
【００２７】
次に、図３に示すように、プロテクタ本体２の開口側よりカバー２０を組み付ける。カバー２０をプロテクタ本体２に組み付けると、カバー２０の係止突部１１がメスコネクタ３０のホルダ係止穴３３に挿入される。カバーの各リブ１２がコネクタハウジング３１とリアホルダ３２の後端面に突き当たる状態となる。
【００２８】
次に、図４に示すように、プロテクタ本体２の電線配策本体３Ａの両端箇所で、且つ、一対のバンド用リブ６内に拘束バンド２５を装着すれば完了する。
【００２９】
このように構成されたプロテクタ１によれば、図４及び図５に示すように、メスコネクタ３０がプロテクタ１のコネクタ嵌合部４に固定され、且つ、メスコネクタ３０より外部に引き出された電線Ｗ等がプロテクタ１の電線配策部３内に配策されるため、電線Ｗが外周を被うプロテクタ１によって保護されると共に経路規制がされる。従って、メスコネクタ３０より外部に引き出された電線Ｗの保護と、電線Ｗの経路規制の向上を共に図ることができる。又、プロテクタ１は、メスコネクタ３０のホルダロック穴３３を利用してメスコネクタ３０に固定できるため、メスコネクタ３０には他部品との連結用の取付部を別途設ける必要がない。
【００３０】
コネクタ嵌合部４には、リアホルダ３２が半嵌合位置のメスコネクタ３０を組み付けると、リアホルダ３２を嵌合位置にガイドするリブ１２が設けられている。従って、半嵌合位置のメスコネクタ３０がプロテクタ１に組み付けられるという事態を防止できる。
【００３１】
コネクタ係止部である係止突部１１は、プロテクタ本体２とカバー２０の内面にそれぞれ設けられている。従って、メスコネクタ３０を強固にプロテクタ１に組み付けできる。
【００３２】
この実施形態のプロテクタ１は、メスコネクタ３０に組み付けるものであるが、寸法等を可変することによってメスコネクタに組み付けるものとすることができる。つまり、プロテクタ１は、寸法を可変することでメスコネクタ用とオスコネクタ用にすることができる。
【符号の説明】
【００３３】
１  プロテクタ
２  プロテクタ本体
３  電線配策部
４  コネクタ嵌合部
１１  係止突部（コネクタ係止部）
１２  リブ
２０  カバー
３０  メスコネクタ（コネクタ）
３２  リアホルダ
３３  ホルダロック穴（ホルダロック部）
Ｗ  電線
【図１】
0005840929.tif 000002
【図２】
0005840929.tif 000003
【図３】
0005840929.tif 000004
【図４】
0005840929.tif 000005
【図５】
0005840929.tif 000006
【図６】
0005840929.tif 000007
【図７】
0005840929.tif 000008